(57)【要約】      （修正有）【課題】送風機の送風領域を広げることができるプロペラファンを提供すること。【解決手段】プロペラ状の羽根４０を複数枚設けたプロペラファン２に、その回転軸部の周辺に貫通穴３０を設け、更に前記貫通穴の周囲に貫流用の羽根５０を回転軸に対して円筒状に複数本設ける構成とした。前記ファンが回転すると、貫流用の羽根の内側に設けた貫通穴を貫通する気流が生じ、貫流用の羽根の外周に向かう気流が発生する。この外側に向かう気流は、プロペラファンの回転により気流を大きく外側に拡大する方向に作用し、送風機の送風領域を広げることができる。【選択図】図２
2020118148.tif 000002
【特許請求の範囲】
【請求項１】
プロペラ状の羽根を複数枚設けたプロペラファンであって、
その回転軸部の周辺に貫通穴を設け、
更に前記貫通穴の周囲に貫流用の羽根を回転軸に対して円筒状に複数本設けたことを特徴とするプロペラファン。
【発明の詳細な説明】
【技術分野】
【０００１】
本発明は、扇風機などに用いられるプロペラファンに関するものである。
【背景技術】
【０００２】
扇風機等の送風装置において、出来るだけその送風領域を広げたいというニーズがある。扇風機においては、従来からその送風領域を拡大するために扇風機に羽根の首振機能を持たせ、その機能により送風領域を広げている。しかしながらある場所における風量は周期的に変動することになる。
【０００３】
一方送風装置の送風領域を拡大するために首振機能に替えて、送風装置の前面に回転する傾斜板を設け送風装置を首振りすることなく送風領域を拡大することは行われている。しかしながらこのような機能を使用しても或る場所における風量は周期的に変動することになる。
【発明の概要】
【発明が解決しようとする課題】
【０００４】
これまで、送風装置からの送風領域における風量の周期的な変動が無く、送風領域の拡大を実現したものは無い。本発明は、このような事情に鑑みてなされたものであり、送風領域を広げることができるプロペラファンを提供することを課題とする。
【課題を解決するための手段】
【０００５】
上記課題を解決するため、第１発明の羽根車は、以下の特徴を有する。
プロペラ状の羽根を複数枚設けたプロペラファンであって、
その回転軸部の周辺に貫通穴を設け、
更に前記貫通穴の周囲に貫流用の羽根を回転軸に対して円筒状に複数本設けた。
【０００６】
第1発明の羽根車によれば、以下の効果が発現する。
【０００７】
第１発明のプロペラファンは、プロペラファンの回転軸部の周辺に貫通穴を設け、その回転軸部の貫通孔の周囲に貫流用の羽根を円筒状に複数本設けている。プロペラファンが回転すると、回転軸部の周囲に円筒状に設けた貫流用の羽根も回転する。貫流用ファン（羽根）が回転すると、貫流用の羽根の内側に設けた貫通穴を貫通する気流が生じ、貫流用の羽根の外周に向かう気流が発生する。この貫流用の羽根により発生した外側に向う気流は、プロペラファンの回転により発生した気流を大きく外側に拡大する方向に作用する。このような貫流用の羽根により発生した気流の作用により、プロペラファンの送風領域は拡大し、送風装置（扇風機）の首振り機能は不要となる。
【図面の簡単な説明】
【０００８】
【図１】本発明のプロペラファンを使用した送風装置の全体図。
【図２】本発明のプロペラファンの正面斜視図。
【図３】本発明のプロペラファンの背面斜視図。
【図４】本発明のプロペラファンの正面図。
【図５】本発明のプロペラファンの背面図。
【図６】本発明のプロペラファンの作用効果の説明図。
【図７】従来のプロペラファンの全体図。
【発明を実施するための形態】
【０００９】
本発明の実施形態を図により説明する。
図１は本発明のプロペラファンを使用した送風装置の全体図、図２は本発明のプロペラファンの正面斜視図、図３は本発明のプロペラファンの背面斜視図、図４は本発明のプロペラファンの正面図、図５は本発明のプロペラファンの背面図、図６は本発明のプロペラファンの作用効果の説明図、図７は従来のプロペラファンである。尚図面の説明において正面及び背面とは、図１の正面側と背面側を示している。
【００１０】
＜１＞本発明の送風装置の概要
本発明のプロペラファンを使用した送風装置（以下、扇風機という。）の概要を図１により説明する。扇風機１の全体構成は、公知の扇風機とほぼ同じである。扇風機のファン２は本発明品を使用している。３はファン駆動モータＭを支える支柱、４は扇風機の台座、５は貫流用ファンである。ファン２は、本発明品を使用しているので扇風機の首振機能は不要である。ここで貫流用のファン５は、プロペラファン２の正面側に設けられたものであり、扇風機の回転軸と同軸であり、複数の羽根を円筒状に設けている。またプロペラファンの中央部には貫流用ファンの内側に貫通穴３０（図２参照）を複数個設けている。この貫流用ファン５は、本発明のファン２による背面側から正面側への気流の到達領域を拡大する機能を有している。
【００１１】
＜２＞本発明のプロペラファンの構成
図２から図５により本発明のプロペラファン２について説明する。本発明のプロペラファン２は、中央部２０、貫通穴３０、羽根部（プロペラファン）４０、貫流用ファン５０及びモータ接続部６０からなる。中央部２０は、貫通穴３０、貫流用ファン５０とモータ接続部６０からなる。各部分は一体で射出成型等で成形される。またその材質は、ＡＳ樹脂、ＡＢＳ樹脂、ＰＡ樹脂またはＰＰ樹脂が使用される。
【００１２】
以下、各部について説明する。中央部２０は、上述のとおり、貫通穴３０、貫流用ファン５０とモータ接続部６０からなる。貫通穴３０は、貫流用ファン５０とモータ接続部６０との間で複数個設けられている。この貫通穴３０は、プロペラファン２の背面側から正面側への気流を発生させるために設けている。貫流用ファン５０は、貫通穴３０の外周部に断面が羽根形状を呈したものを複数個円筒状に配置したものである。この貫流用ファン５０は、貫通穴３０を貫通する気流を貫流用ファン５０の外周方向に修正する機能を有している。モーター接続部６０は、駆動モーターＭとの接続部分である。羽根部（プロペラファン）４０は、プロペラ状の形状をしたファンであり、背面側から正面側に気流を発生させて送風する機能を果たす。また羽根部４０には、回転軸に対して放射状にリブ４１を設けている。本実施形態の図面では羽根部４０の各羽根に３本のリブを設けている。このリブ４１の本数は特に３本に限定されるものではなく、羽根のサイズにより適宜設定することができる。このリブ４１は、気流をできるだけプロペラファンの外周方向に拡大するために設けている。
【００１３】
＜３＞本発明のプロペラファンの作用効果
図６により本発明のプロペラファンの作用効果について説明する。本発明品のプロペラファン２は、上述した構成である。従来のプロペラファン９は図７に示すとおりである。本発明のプロペラファン２は、本実施形態の図面では、羽根部（プロペラファン）４０は正面側から見て時計方向（図４の矢印方向）に回転する。プロペラファン２が回転すると、送風装置の背面側にある空気は正面側に押し出す気流３が発生する。また中央部２０に設けられている貫流用ファン５０も同じ方向に回転する。中央部２０の貫流ファン５０の内側には貫通穴３０が設けられている。従って貫通穴を背面側から正面側に貫通する気流１も発生する。その気流１は貫流用ファン５０の外周方向に流れる気流２となる。気流２と気流３はプロペラファンの羽根４０の外周側で合流する。これにより外周側と内周側に気流の差が発生し、送風装置の送風領域は図１及び図６のように拡大する。
【００１４】
羽根部（プロペラファン）４０の各羽根の正面側に設けたリブ４１は、気流２と気流３を合成した気流４の一部がこのリブ４１によりプロペラファンの外周方向（回転軸に対して半径方向）に導風する働きをし、気流４が拡大する機能を補助する。
【００１５】
本発明の羽根部（プロペラファン）４０により、気流は拡散するので扇風機の送風領域を広げるための首振り機能は不要となる。
【符号の説明】
【００１６】
１      送風装置（扇風機）
２      プロペラファン（本発明品）
３      支柱
４      台座
５      貫流用ファン
２０    中央部
３０    貫通穴
４０    羽根部（プロペラファン）
４１    羽根部のリブ
５０    貫流用ファンの羽根（クロスフローファン）
６０    モーター接続部  
Ｍ      駆動モーター
【図１】
2020118148.tif 000003
【図２】
2020118148.tif 000004
【図３】
2020118148.tif 000005
【図４】
2020118148.tif 000006
【図５】
2020118148.tif 000007
【図６】
2020118148.tif 000008
【図７】
2020118148.tif 000009